【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
物品（１０５）を輸送するための輸送容器（１００）において、
前記輸送容器（１００）は、
前記物品（１０５）を受け入れるように適応された物品位置（１０４）と、
前記物品位置（１０４）を断熱するように適応された少なくとも１つの真空断熱パネル（１０２−ｉ）と、
前記物品の温度（ΘＯＢＪＥＣＴ）に影響を与える前記真空断熱パネル（１０２−ｉ）の少なくとも１つの物理特性に対する測定値（Ｖｉｊ）に応じたパネル状態信号（１２５−ｉ）を提供するように適応され、前記真空断熱パネル（１０２−ｉ）に組付けられた少なくとも１つのセンサユニット（１２０−ｉ）と、
前記パネル状態信号（１２５−ｉ）の第１符号（１３５−ｉ）を前記輸送容器（１００）内で伝送するように適応された少なくとも１つの短距離伝送ユニット（１３０−ｉ）と、
前記短距離伝送ユニット（１３０−ｉ）からの前記パネル状態信号（１２５−ｉ）の前記第１符号（１３５−ｉ）を受信すると共に、前記輸送容器の運用状態の表現を規定するように前記パネル状態信号を処理するための遠隔サーバコンピュータ（２００）に前記パネル状態信号の第２符号（１４５）を伝送するように適応された長距離伝送ユニット（１４０）とを備え、
前記運用状態は、前記物品の温度（ΘＯＢＪＥＣＴ）に関連すると共に、前記長距離伝送ユニット（１４０）から前記遠隔サーバコンピュータ（２００）への前記パネル状態信号（１２５−ｉ）の前記第２符号（１４５）の後続の伝送までの時間間隔からなる前記伝送間隔に依存し、
前記伝送は、選択的に、
・所定の持続時間を有する前記伝送間隔を伴う周期的な伝送、及び
・最長持続時間を有する前記伝送間隔を伴う区分のない伝送の何れかである、輸送容器。
【請求項２】
前記伝送間隔は、前記真空断熱パネル（１０２−ｉ）に用いられる材料に依存し、より高い断熱性能を有する材料を用いた真空断熱パネルに対しては前記伝送間隔がより長い、請求項１に記載の輸送容器（１００）。
【請求項３】
少なくとも前記伝送間隔は、前記真空断熱パネル材料の材料クラスへの類別を使用することによって区別される、請求項２に記載の輸送容器（１００）。
【請求項４】
前記真空断熱パネルは、ポリウレタンＰＵ、発泡スチロールＥＰＳ、及び有機エアロゲルから選択されたコア材料を有し、前記有機エアロゲルを有する前記真空断熱パネルは、比較的により高い材料性能クラスに分類され、ポリウレタンＰＵ又は発泡スチロールＥＰＳを有する前記真空断熱パネルは、比較的により低い材料性能クラスに分類される、請求項３に記載の輸送容器（１００）。
【請求項５】
請求項１乃至４の何れか１項に記載の輸送容器（１００）の操作方法（１０００）であって、
第１材料を使用して製造された第１真空断熱パネル（１０２−ｉ）を、第２材料を使用して製造された第２真空断熱パネル（１０２’−ｉ）と置換し、双方の材料は前記２つの真空断熱パネルに異なる熱伝導率をもたらすステップ（１０１０）と、
前記遠隔サーバコンピュータ（２００）への前記パネル状態信号の第２符号（１４５）の伝送に関する技術パラメータを改変するステップ（１０４０）とを備える、操作方法。
【請求項６】
前記第１真空断熱パネル及び第２真空断熱パネルは、前記材料に従って、前記異なる熱伝導率による前記真空断熱パネルの性能を表す複数の材料性能クラスに分類されると共に、前記材料性能クラスは、前記真空断熱パネルに関連付けされたデータ構造によって表され、前記方法（１０００）は更に、前記データ構造を読み込むステップ（１０２０、１０３０）を備え、前記技術パラメータの改変ステップ（１０４０）は、より高い真空断熱パネル性能を有するように分類された真空断熱パネルのためにより長い伝送間隔（Ｔ  ＳＡＭＰＬＥ）を選択するステップ（１０４０）を備える、請求項５に記載の輸送容器（１００）の操作方法（１０００）。
【請求項７】
前記技術パラメータの改変ステップ（１０４０）は、より高い真空断熱パネル性能を有するように分類された前記真空断熱パネルのために、より長い残存機能間隔（Ｔ  ＬＩＭＩＴ）を選択するステップを備える、請求項５又は６に記載の輸送容器（１００）の操作方法。
【請求項８】
請求項１乃至４の何れか１項に記載の輸送容器（１００）からの前記パネル状態信号の前記第２符号（１４５）を受信するように適応された遠隔サーバコンピュータ（２００）において、
前記遠隔サーバコンピュータ（２００）は、
・前記パネル状態信号の前記第２符号（１４５）を標本（Ｔ  ＳＡＭＰＬＥ）の連続として受信し、
・受信する新しい標本に基づき、予め規定された規則（Ｒ１、Ｒ２、Ｒ３、Ｒ４）の組合せに従って前記輸送容器（１００）の少なくとも１つの前記運用状態の状態値を測定し、更に
・その状態値の表示（ＮＯＲＭＡＬ−ＵＦＮＣＴＩＯＮ＊、ＰＲＥ−ＦＡＩＬＵＲＥ−ＦＵＮＣＴＩＯＮ＊、ＦＡＩＬＵＲＥ＊）を記憶する
ように適応された規則モジュール（２５０）によって特徴付けられ、
前記予め規定された規則の組合せは、
前記輸送容器（１００）の前記運用状態が標準機能状態（ＮＯＲＭＡＬ−ＦＵＮＣＴＩＯＮ＊）であることを決定するための第１則（Ｒ１）と、
前記真空断熱パネルに関する事象の発生を検出すると前記輸送容器（１００）の前記運用状態が前故障状態であると決定するための第２則（Ｒ２）と、
前記真空断熱パネルの事象から前記特定の物品位置（１０４）での予め規定された状態までの時間間隔が伸びて、前記時間間隔（Ｔ  ＬＩＭＩＴ）が経過したときに前記状態値の表示を故障状態（ＦＡＩＬＵＲＥ＊）にセットすることを確定する第３則（Ｒ３）とを備え、
前記第３則は、前記真空断熱パネル（１０２−ｉ）の前記材料に依存する特定の輸送容器（１００）のための時間間隔を確定する、遠隔サーバコンピュータ。
【請求項９】
物品（１０５）を輸送するのに適応された輸送容器（１００）の操作方法（７００）において、
前記輸送容器（１００）内において真空断熱パネル（１０２−ｉ）で断熱された物品位置（１０４）内に物品（１０５）を設置するステップ（７１０）と、
前記真空断熱パネル（１０２−ｉ）に組付けられたセンサユニット（１２０−ｉ）により、前記物品の温度（Θ  ＯＢＪＥＣＴ）に影響を与える前記真空断熱パネル（１０２−ｉ）の少なくとも１つの物理特性に対する測定値（Ｖｉｊ）に応じたパネル状態信号（１２５−ｉ）を提供するステップ（７２０）と、
短距離伝送ユニット（１３０−ｉ）により、前記パネル状態信号（１２５−ｉ）の第１符号（１３５−ｉ）を前記輸送容器（１００）内で伝送するステップ（７３０）と、
長距離伝送ユニット（１４０）により、前記短距離伝送ユニット（１３０−ｉ）からの前記パネル状態信号（１２５−ｉ）の前記第１符号（１３５−ｉ）を受信するステップ（７４０）、及び、前記輸送容器（１００）の少なくとも１つの運用状態の状態値を規定するように前記パネル状態信号を処理するための遠隔サーバコンピュータ（２００）に前記パネル状態信号の第２符号（１４５）を伝送するステップ（７５０）と、
前記輸送容器（１００）の前故障状態の決定に基づいて、新規の真空断熱パネルによって前記真空断熱パネル（１０２−ｉ）を置換するステップ（１０１０）及び前記物品温度（Θ  ＯＢＪＥＣＴ）の変化から選択される行為を含めた修正行動を提供するステップ（７６０）とを備える、操作方法（７００）。
【請求項１０】
前記新規の真空断熱パネル及び前記短距離伝送ユニット（１３０−ｉ）間の相互作用、又は前記新規の真空断熱パネル及び前記長距離伝送ユニット（１４０）間の相互作用により、前記新規の真空断熱パネルの材料クラスを示す材料クラス信号（ＭＣＳ）を検出するステップ（１０２０）を更に備える、請求項９に記載の操作方法。
【請求項１１】
前記新規の真空断熱パネルの前記クラスを示す材料クラス信号（ＭＣＳ）を前記遠隔サーバコンピュータ（２００）に伝送するステップ（１０３０）を更に備える、請求項９又は１０に記載の操作方法。
【請求項１２】
前記パネル状態信号を提供するステップ（７２０）、前記パネル状態信号の前記第１符号を伝送するステップ（７３０）、及び前記パネル状態信号の前記第１符号を受信するステップ（７４０）がコンピュータ実装ステップである、請求項９乃至１１の何れか１項に記載の操作方法。
【請求項１３】
コンピュータの記憶装置にロードされ且つ前記コンピュータの少なくとも１つの処理装置によって実行される指示を含み、請求項１２に記載の操作方法のステップの実行への前記コンピュータの参加をもたらす、コンピュータプログラム製品。
【請求項１４】
遠隔サーバコンピュータ（２００）を操作するためにコンピュータに実装された方法（８００）において、
前記遠隔サーバコンピュータ（２００）は、物品位置（１０４）を断熱する真空断熱パネル（１２０−ｉ）を備えた輸送容器（１００）からのパネル状態信号（１２５−ｉ）の符号（１４５）を受信するように適応され、
前記パネル状態信号（１２５−ｉ）は、前記物品位置（１０４）での物品の温度に影響を与える前記真空断熱パネル（１２０−ｉ）の少なくとも１つの物理特性に対する測定値（Ｖｉｊ）に対応し、
前記方法（８００）は、
前記パネル状態信号の前記符号（１４５）の標本を受信するステップ（８１０）と、
・前記輸送容器（１００）の運用状態が標準機能状態（ＮＯＲＭＡＬ−ＦＵＮＣＴＩＯＮ＊）であることを決定するための第１則（Ｒ１）、
・前記真空断熱パネルに関する事象の発生を検出すると前記輸送容器（１００）の前記運用状態が前故障状態であると決定するための第２則（Ｒ２）、
・前記真空断熱パネルの事象から前記特定の物品位置（１０４）での予め規定された状態までの時間間隔が伸びて、時間間隔（Ｔ  ＬＩＭＩＴ）が経過したときに状態値の表示を故障状態（ＦＡＩＬＵＲＥ＊）にセットすることを確定する第３則（Ｒ３）を用いて、
予め規定された規則（Ｒ１、Ｒ２、Ｒ３、Ｒ４）の組合せに従って前記輸送容器（１００）の少なくとも１つの前記運用状態の状態値を測定するステップ（８２０）と、
その状態値の表現（ＮＯＲＭＡＬ−ＵＦＮＣＴＩＯＮ＊、ＰＲＥ−ＦＡＩＬＵＲＥ−ＦＵＮＣＴＩＯＮ＊、ＦＡＩＬＵＲＥ＊）を記憶するステップ（８３０）とを備えた、方法。
【請求項１５】
前記伝送間隔は、前記輸送容器（１００）への修正行動の付与を可能とするために、前記輸送容器（１００）の監視が即時監視であるように選択される、請求項１に記載の輸送容器（１００）。